(57)【要約】【課題】バンパカバーに軽衝突荷重が入力された場合でも、ランプレンズが損傷することを抑制する。【解決手段】本発明のバンパカバーの取付構造１０は、車体に支持されたヘッドランプレンズ１４と、発泡材により構成されたバンパカバー本体１６と、バンパカバー本体１６を車両外側から覆う樹脂製の表皮材１８と、表皮材１８の一部によって構成されると共に、バンパカバー本体１６の端部１６Ａから突出されて、ヘッドランプレンズ１４の照射面１４Ｂ側からヘッドランプレンズ１４のフランジ２２と車両前後方向に対向する突出部２０と、を備えている。この構成によれば、フロントバンパカバー１２に軽衝突荷重が入力されて突出部２０がフランジ２２と干渉した場合でも、突出部２０が撓むことによって、突出部２０からフランジ２２へ伝達される荷重を軽減することができる。これにより、ヘッドランプレンズ１４が損傷することを抑制することができる。【選択図】図２
2011148329.tif 000002
【特許請求の範囲】
【請求項１】
車体に支持されたランプレンズと、
発泡材により構成されたバンパカバー本体と、
前記バンパカバー本体を車両外側から覆う樹脂製の表皮材と、
前記表皮材の一部によって構成されると共に、前記バンパカバー本体の端部から突出されて、前記ランプレンズの照射面側から前記ランプレンズの対向部と車両前後方向に対向する突出部と、
を備えたバンパカバーの取付構造。
【請求項２】
前記突出部は、前記ランプレンズにおける前記照射面と前記対向部との間の部分と接触している、
請求項１に記載のバンパカバーの取付構造。
【請求項３】
前記突出部は、前記ランプレンズにおける前記照射面と前記対向部との間の部分を覆っている、
請求項１又は請求項２に記載のバンパカバーの取付構造。
【発明の詳細な説明】
【技術分野】
【０００１】
本発明は、バンパカバーの取付構造に関する。
【背景技術】
【０００２】
特許文献１には、フロントバンパカバーの車両上下方向上側の一部がヘッドランプレンズの下面部の一部と車両前後方向に対向するバンパカバーの取付構造が開示されている。
【先行技術文献】
【特許文献】
【０００３】
【特許文献１】特開２００３−２１２０７０号公報
【特許文献２】特開２００８−３０７９４１号公報
【特許文献３】実開昭６３−２６９０４号公報
【発明の概要】
【発明が解決しようとする課題】
【０００４】
しかしながら、上記特許文献１に記載のバンパカバーの取付構造では、例えば、フロントバンパカバーに軽衝突荷重が入力された場合、フロントバンパカバーの車両上下方向上側の一部がヘッドランプレンズの下面部の一部と干渉し、このヘッドランプレンズが損傷する虞がある。
【０００５】
本発明は、上記課題に鑑みてなされたものであって、バンパカバーに軽衝突荷重が入力された場合でも、ランプレンズが損傷することを抑制することができるバンパカバーの取付構造を提供することを目的とする。
【課題を解決するための手段】
【０００６】
前記課題を解決するために、請求項１に記載のバンパカバーの取付構造は、車体に支持されたランプレンズと、発泡材により構成されたバンパカバー本体と、前記バンパカバー本体を車両外側から覆う樹脂製の表皮材と、前記表皮材の一部によって構成されると共に、前記バンパカバー本体の端部から突出されて、前記ランプレンズの照射面側から前記ランプレンズの対向部と車両前後方向に対向する突出部と、を備えている。
【０００７】
このバンパカバーの取付構造によれば、バンパカバーには、車体に支持されたランプレンズの対向部と車両前後方向に対向する突出部が形成されているが、この突出部は、樹脂製の表皮材の一部によって構成されている。従って、バンパカバーに軽衝突荷重が入力されて突出部がランプレンズの対向部と干渉した場合でも、突出部が撓むことによって、突出部からランプレンズの対向部へ伝達される荷重を軽減することができる。これにより、ランプレンズが損傷することを抑制することができる。
【０００８】
請求項２に記載のバンパカバーの取付構造は、請求項１に記載のバンパカバーの取付構造において、前記突出部が、前記ランプレンズにおける前記照射面と前記対向部との間の部分と接触した構成とされている。
【０００９】
このバンパカバーの取付構造によれば、突出部は、ランプレンズにおける照射面と対向部との間と接触しているので、バンパカバーとランプレンズとの間の隙間を無くすことができ、見栄えを向上させることができる。
【００１０】
請求項３に記載のバンパカバーの取付構造は、請求項１又は請求項２に記載のバンパカバーの取付構造において、前記突出部が、前記ランプレンズにおける前記照射面と前記対向部との間の部分を覆う構成とされている。
【００１１】
このバンパカバーの取付構造によれば、突出部は、ランプレンズにおける照射面と対向部との間を覆っているので、このランプレンズにおける照射面と対向部との間を通じて外部からバンパカバーの内部が見えることを抑制することができ、しかも、これを表皮材の一部で突出部を構成するという簡素な構成で実現することができる。
【発明の効果】
【００１２】
以上詳述したように、本発明によれば、バンパカバーに軽衝突荷重が入力された場合でも、ランプレンズが損傷することを抑制することができる。
【図面の簡単な説明】
【００１３】
【図１】本発明の一実施形態に係るバンパカバーの取付構造が適用された車両の前部を示す斜視図である。
【図２】図１の２−２線断面図である。
【図３】本発明の一実施形態に係るバンパカバーの取付構造の変形例を示す図２に対応する図である。
【発明を実施するための形態】
【００１４】
以下、図面を参照しながら、本発明の一実施形態について説明する。
【００１５】
なお、各図において示される矢印ＵＰ、矢印ＦＲ、矢印ＯＵＴは、車両上下方向上側、車両前後方向前側、車両幅方向外側をそれぞれ示している。
【００１６】
図１に示される車両３０の車体前部には、本発明の一実施形態に係るバンパカバーの取付構造１０が適用されている。つまり、この車両３０の車体前部には、フロントバンパカバー１２と、ヘッドランプレンズ１４が設けられている。
【００１７】
フロントバンパカバー１２は、発泡材により構成されたバンパカバー本体１６と、このバンパカバー本体１６を車両外側から覆う表皮材１８とを有して構成されている。表皮材１８は、例えばフィルムや塗装膜等の樹脂製とされている。
【００１８】
図２に示されるように、バンパカバー本体１６におけるヘッドランプレンズ１４側の端部１６Ａは、ヘッドランプレンズ１４の下面部１４Ａよりも車両前側にて終端されている。一方、表皮材１８には、バンパカバー本体１６におけるヘッドランプレンズ１４側の端部１６Ａから車両前後方向後側へ突出する突出部２０が一体に形成されている。
【００１９】
この突出部２０は、ヘッドランプレンズ１４の照射面１４Ｂ側からヘッドランプレンズ１４のフランジ２２と車両前後方向に対向すると共に、このヘッドランプレンズ１４における下面部１４Ａを車両上下方向下側から覆っている。
【００２０】
ヘッドランプレンズ１４は、車体前部のパネル部２４に支持されており、その後端部とパネル部２４とは、ホットメルト等の充填材２６によってシールされている。また、このヘッドランプレンズ１４には、照射面１４Ｂよりも車両前後方向後側に車両上下方向下側に向けて突出するフランジ２２（対向部）が形成されている。
【００２１】
なお、特に断面にて図示しないが、図１に示されるランプレンズの側面部１４Ｃ及びその周辺のフロントバンパカバー１２の構成も、上記と同様とされている。
【００２２】
また、ヘッドランプレンズ１４における下面部１４Ａ及び側面部１４Ｃは、本発明のランプレンズにおける照射面と対向部との間の部分に相当する。
【００２３】
次に、本発明の一実施形態の作用及び効果について説明する。
【００２４】
このバンパカバーの取付構造１０によれば、フロントバンパカバー１２には、車体に支持されたヘッドランプレンズ１４のフランジ２２と車両前後方向に対向する突出部２０が形成されているが、この突出部２０は、樹脂製の表皮材１８の一部によって構成されている。従って、フロントバンパカバー１２に軽衝突荷重が入力されて突出部２０がフランジ２２と干渉した場合でも、突出部２０が撓むことによって、突出部２０からフランジ２２へ伝達される荷重を軽減することができる。これにより、ヘッドランプレンズ１４が損傷することを抑制することができる。
【００２５】
また、この突出部２０は、ヘッドランプレンズ１４における下面部１４Ａ及び側面部１４Ｃを覆っているので、この下面部１４Ａ及び側面部１４Ｃを通じて外部からフロントバンパカバー１２の内部が見えることを抑制することができ、しかも、これを表皮材１８の一部で突出部２０を構成するという簡素な構成で実現することができる。
【００２６】
また、このフロントバンパカバー１２は、発泡材からなるバンパカバー本体１６と、樹脂製の表皮材１８とによって構成されているので、自重を軽くすることができる。従って、このフロントバンパカバー１２を車体に固定する固定部を強固にする等の対策を施すことなく、フロントバンパカバー１２とヘッドランプレンズ１４との隙間の拡大を抑制することができる。
【００２７】
次に、本発明の一実施形態の変形例について説明する。
【００２８】
上記実施形態において、バンパカバーの取付構造１０は、車体前部に適用されていたが、車体後部に適用されても良い。なお、この場合のバンパカバーは、リアバンパカバーとされ、ランプレンズは、テイルランプレンズとされる。
【００２９】
また、突出部２０は、ヘッドランプレンズ１４の下面部１４Ａと隙間を有した状態で、この下面部１４Ａを覆っていたが、図３に示されるように、所謂、干渉設計とされることにより、この下面部１４Ａと押圧状態で接触されて下面部１４Ａを覆っていても良い。また、同様に、突出部２０は、図１に示される側面部１４Ｃと押圧状態で接触されて側面部１４Ｃを覆っていても良い。
【００３０】
このように構成されていると、フロントバンパカバー１２とランプレンズとの間の隙間を無くすことができ、見栄えを向上させることができる。
【００３１】
以上、本発明の一実施形態について説明したが、本発明は、上記に限定されるものでなく、上記以外にも、その主旨を逸脱しない範囲内において種々変形して実施可能であることは勿論である。
【符号の説明】
【００３２】
１０  バンパカバーの取付構造
１２  フロントバンパカバー（バンパカバー）
１４  ヘッドランプレンズ（ランプレンズ）
１６  バンパカバー本体
１８  表皮材
２０  突出部
２２  フランジ（対向部）
【図１】
2011148329.tif 000003
【図２】
2011148329.tif 000004
【図３】
2011148329.tif 000005